(57)【特許請求の範囲】
【請求項１】
背面パネル寄りの位置に背面パネルと平行な状態で天面パネルに設けた折曲線をヒンジとして起伏する開封部を設けてなるトップオープン型の紙カートンであって、連続する複数の切れ刃からなる破断線により開封部が形成されており、開封部を形成する左右の破断線の終端からそれぞれ外側に膨らんで折曲線の左右の端部に至る湾曲状の切込線により、折曲線の両側に折曲線よりも後方に突出する舌片が区画されており、さらに、折曲線より後方にて両方の舌片の後側を結ぶ状態で折曲線とほぼ平行な補助折線が設けられていることを特徴とする紙カートン。
【発明の詳細な説明】
【技術分野】
【０００１】
本発明は、板紙からなるカートンの技術分野に属し、詳しくは、菓子類を始めとして、化粧品、医療品、各種小物など収納して販売する際に好適に用いられる紙カートンに関するものである。
【背景技術】
【０００２】
従来、この種の紙カートンとして、天面パネルを大きく開封して中身を取り出すトップオープン型の紙カートンが知られている。すなわち、天面パネルに２筋の破断線を設けておき、この破断線で囲まれた開封部に繋がる摘み片を引き上げることで、天面パネルの中央部を大きく開放して内容物を取り出すようになっている。ところが、このタイプの紙カートンは、開封した後で蓋を手で支えていないと、起立状態を保持することができないため、開けたままで内容物を繰り返して取り出すような場合には不便なことから、蓋を起立状態にできるようにしたものが提案されている。
【０００３】
【特許文献１】特開２００６−３６３５０号公報
【特許文献２】特開平１０−１８１７３９号公報
【特許文献３】特開２００３−１２８０５５公報
【発明の開示】
【発明が解決しようとする課題】
【０００４】
上記した特許文献１に記載の紙カートンは、両端がシールエンドであるシール形式の紙カートンであって、天面パネルに開封部を折曲げ可能とする折目を設け、その折目よりも後方へ突出する左右一対の舌片を形成し、各舌片を係止する係止片を天面パネルに設けることにより、蓋を起立状態に保持するようにしているが、蓋を開く際に蓋の開度が１８０度を越えないと、舌片が係止片を乗り越えて係止状態にはならない。したがって、開閉時に蓋を思い切り後側に倒さないとロックさせることができないことから、蓋を開けたままの状態にするための操作が煩わしいという問題点がある。
【０００５】
一方、特許文献２，３に記載の紙カートンは、特許文献１に記載の紙カートンとは異なり、いずれも蓋の開度が９０度を越えると開いたままの状態することができる。しかしながら、特許文献２に記載の紙カートンは、サック形式であるため、高速充填機の対応は不向きである上に、シール形式の紙カートンよりも多くの用紙を必要とするという問題点がある。また、特許文献３に記載の紙カートンは、シール形式ではあるが、取出し口の開いた上板とそれを覆う蓋板とを備えるため、通常のシール形式の紙カートンよりも多くの用紙を必要とする。
【０００６】
本発明は、このような問題点に鑑みてなされたものであり、その目的とするところは、通常のシール形式の紙カートンと同じサイズでありながら、蓋を開けて起立させるための操作を容易としたトップオープン型の紙カートンを提供することにある。
【課題を解決するための手段】
【０００７】
上記の目的を達成するため、本発明の紙カートンは、背面パネル寄りの位置に背面パネルと平行な状態で天面パネルに設けた折曲線をヒンジとして起伏する開封部を設けてなるトップオープン型の紙カートンであって、連続する複数の切れ刃からなる破断線により開封部が形成されており、開封部を形成する左右の破断線の終端からそれぞれ外側に膨らんで折曲線の左右の端部に至る湾曲状の切込線により、折曲線の両側に折曲線よりも後方に突出する舌片が区画されており、さらに、折曲線より後方にて両方の舌片の後側を結ぶ状態で折曲線とほぼ平行な補助折線が設けられていることを特徴としている。
【発明の効果】
【０００８】
本発明の紙カートンは、折曲線をヒンジとして開封部を破断線のところで開け、その開封部を把持したまま斜め後側に引っ張ると、天面パネルにおける折曲線より後側の部分が補助折線のところで曲がることで開封部が上方に伸び、折曲線の両側にある舌片が天面パネルの残った部分の上側になり引っ掛かって係止するので、蓋の開度を１８０度としなくても、斜め後側に引っ張るだけで容易に開いた状態でロックすることができる。そして、この紙カートンは、高速充填機が対応できるシール形式でありながら、破断線の終端と折曲線端部との間に舌片を区画する湾曲状の切込線を形成し、合わせて補助折線を形成するだけでよいので、通常のシール形式の紙カートンと同じサイズのブランクで作製することができる。
【発明を実施するための最良の形態】
【０００９】
次に、本発明の実施の形態について図面を参照しながら詳細に説明する。
【００１０】
図１は本発明に係る紙カートンの一例を示す斜視図、図２は図１に示す紙カートンを組み立てるブランクの展開図である。
【００１１】
図２のブランクは、紙器用の板紙を打ち抜いて形成されたもので、図示の如く、折線ａ，ｂ，ｃ，ｄを介して前面パネル１１、底面パネル１２、背面パネル１３、天面パネル１４、フラップパネル１５が順次連設されている。そして、前面パネル１１の左右辺には折線ｅ，ｆを介してそれぞれ折込みフラップ１６が連設され、底面パネル１２の左右辺には折線ｇ，ｈを介してそれぞれ底面側の側面パネル１７が連設され、背面パネル１３の左右辺には折線ｉ，ｊを介してそれぞれ折込みフラップ１８が連設され、天面パネル１４の左右辺には折線ｋ，ｌを介してそれぞれ天面側の側面パネル１９が連設されている。
【００１２】
フラップパネル１５には、先端寄りの中央に指先大の孔部１５ａが形成され、その孔部１５ａの両サイドに突片を区画するように孔部１５ａの両端からＬ字状に延び、それに続いて末広がり状に延びる開封用の２筋の破断線Ｌ1 が形成されており、天面パネル１４には、フラップパネル１５の２筋の破断線Ｌ1 にそれぞれ連続して同じく開封用の２筋の破断線Ｌ2 が設けられている。
【００１３】
天面パネル１４には開封部を背面パネル１３と平行に折曲げ可能とする折曲線αが背面パネル１３と平行に且つ破断線Ｌ2 の内側に位置する長さで設けられている。そして、天面パネル１４の２筋の破断線Ｌ2 は、それぞれフラップパネル１５側から背面パネル１３側に向かって折曲線αの手前に至るまで設けられ、その破断線Ｌ2 に繋がり外側に膨らんで折曲線αの端部に至る湾曲状の切込線βにより折曲線αの両側に折曲線αよりも後方に突出する舌片２０が区画されており、さらに、折曲線αより後方にて両方の舌片２０の後側を結ぶ状態で折曲線αと平行な補助折線γが設けられている。
【００１４】
上記の破断線Ｌ1 ，Ｌ2 は連続する複数の切れ刃からなっており、フラップパネル１５における２筋の破断線Ｌ1 は、末広がりの部分では開封時に内側向きの力が掛かって破断されるため、図示のように、破断進行方向で見て後側が内向きに折れ曲がった形状の切れ刃が連続しており、天面パネル１４における２筋の破断線Ｌ2 は、これも開封時に内側向きの力が掛かって破断されるため、破断進行方向で見て後側が内向きに折れ曲がった形状の切れ刃が連続している。
【００１５】
前面パネル１１には、フラップパネル１５の孔部１５ａ両側の突片に対応する位置に山形状で周りに３本の放射状切込みを有するスリット１１ａが設けられており、孔部１５ａ両側の突片を差し込んで係止できるようになっている。
【００１６】
図２のブランクは、フラップパネル１５の裏側を前面パネル１１の表側に貼り合わせたサック貼り状態で折り畳まれる。この時、開封部を除いた部分、すなわち破断線Ｌ1 より外側の領域で糊付けする。そして、このサック貼り状態のブランクから紙カートンを組み立てるには、まず、折り畳んだブランクを角筒状に起こした後、一方の端面側で、折込みフラップ１６，１８をそれぞれ内側に折り曲げてから、底面側の側面パネル１７と上面側の側面パネル１９を順次折り曲げて貼り合わせる。次いで、他方の端面側から内容物を投入してから、他方の端面側も同様に閉じる。このようにして図１に示す紙カートンが作製される。
【００１７】
この紙カートンを開封するに際しては、フラップパネル１５の孔部１５ａに指先を差し込んで引っ張ることでフラップパネル１５の２筋の破断線Ｌ1 を破断し、そのまま上方から後方にかけて引っ張ることで天面パネル１４の２筋の破断線Ｌ2 をそれぞれ破断線Ｌ1 に連続して破断しながら、破断された開封部を後の折曲線αのところで回動しつつ蓋を開ける。そして、フラップパネル１５と天面パネル１４の開封部を把持したまま斜め後側に引っ張る。すると、開封部が補助折線γのところで曲がって上方に伸び、折曲線αの両側にある舌片２０が天面パネル１４の残った部分の上側になることで引っ掛かって係止し、図３に示すように、紙カートンは上部に大きな取出し口が形成され、蓋は後側に少し傾いて開いた状態となる。なお、図３では内容物を省略して図示している。
【００１８】
このように開封した後、開けた蓋の部分を斜め上方に持ち上げて舌片２０の係止を外し、そのまま前方に倒してから、フラップパネル１５の孔部１５ａ両側の突片を前面パネル１１のスリット１１ａに差し込んで係止することにより蓋をすることができる。
【００１９】
なお、補助折線γは少し曲がるだけなので普通の押罫で構わないが、折曲線αは開封時に９０度以上折り曲げられるので、押罫の途中に切込線を配置した所謂リード罫で構成するのが好ましい。
【００２０】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【００２１】
例えば、摘み部は上記のような孔部で形成するだけでなく、摘み片で構成するようにしてもよい。
【００２２】
また、フラップパネルと天面パネルに設ける破断線の形状は任意であり、特に天面パネルの破断線は、上記したような直線状に設ける場合に限るものではなく、外側に広がる円弧状とするなど、大きな開口を形成することができさえれば、その形状は任意である。
【００２３】
また、折曲線の両側に設ける舌片の形状も任意であり、天面パネルに開封部を形成して蓋を開けた時に、反転して天面パネルの残った部分に係止するように適宜設計すればよいものである。
【図面の簡単な説明】
【００２４】
【図１】本発明に係る紙カートンの一例を示す斜視図である。
【図２】図１に示す紙カートンを組み立てるブランクの展開図である。
【図３】図１の紙カートンを開封した状態で示す斜視図である。
【符号の説明】
【００２５】
１１  前面パネル
１１ａ  スリット
１２  底面パネル
１３  背面パネル
１４  天面パネル
１５  フラップパネル
１５ａ  孔部
１６  折込みフラップ
１７  側面パネル
１８  折込みフラップ
１９  側面パネル
２０  舌片
Ｌ1 ，Ｌ2   破断線
ａ〜ｌ  折線
α  折曲線
β  切込線
γ  補助折線
【図１】
0004962778.tif 000002
【図２】
0004962778.tif 000003
【図３】
0004962778.tif 000004